(57)【要約】【課題】メモリ送信機能を用いて原稿データを通信相手装置に送信するときに、原稿が確実に送信されていることを容易に視認することができる画像処理装置としての複合機１を提供する。【解決手段】複合機１は、原稿データの入力を受付ける原稿読取部１０４と、原稿データを記憶する画像メモリ１０７と、原稿画像を表示可能な表示部１１０と、通信相手装置との間で情報の送受信を行うＦＡＸ通信部１１１と、送信すべき原稿データの選択を受け付ける操作部１０９と、を備え、原稿読取部１０４が原稿データの読み取りを完了し、画像メモリ１０７が原稿データを記憶した場合に、ＦＡＸ通信部１１１は通信相手装置に対して発呼し、ＦＡＸ通信部１１１が通信相手装置から通信確立情報を受信した後に、操作部１０９が送信すべき原稿データの選択を受け付け、ＦＡＸ通信部１１１が通信相手装置に送信すべき原稿データを送信する。【選択図】図９
2008294879.tif 000002
【特許請求の範囲】
【請求項１】
原稿データの入力を受付ける原稿データ受付手段と、
前記原稿データ受付手段により受け付けられた原稿データを記憶する記憶手段と、
前記記憶手段に記憶された原稿データを表示する表示手段と、
通信相手装置との間で情報の送受信を行う通信手段と、
前記表示手段に表示された原稿データの中から送信すべき原稿データの選択を受け付ける選択受付手段と、を備える画像処理装置であって、
前記原稿データ受付手段による原稿データの入力の受け付けが完了し、前記記憶手段により当該原稿データが記憶された場合に、前記通信手段は通信相手装置に対して発呼を行い、
前記通信手段が前記通信相手装置から通信の確立を知らせる通信確立情報を受信した後に、前記選択受付手段は、前記表示手段に表示された原稿データの中から送信すべき原稿データの選択を受け付け、
前記通信手段が、選択された原稿データを前記通信相手装置に送信することを特徴とする画像処理装置。
【請求項２】
原稿データを変換可能な原稿データ変換手段を更に備え、
前記通信手段が前記通信相手装置の受信能力情報を受信した場合に、前記原稿データ変換手段は、当該受信能力情報に基いて決定される送信条件に応じて、前記記憶手段に記憶されている原稿データを変換し、
前記原稿データ変換手段により前記原稿データが変換された場合に、前記表示手段は、前記原稿データ変換手段により変換された原稿データを表示し、
前記選択受付手段は、前記表示手段に表示された変換された原稿データの中から送信すべき原稿データの選択を受け付け、
前記通信手段は、選択された原稿データを前記通信相手装置に送信することを特徴とする請求項１に記載の画像処理装置。
【請求項３】
前記原稿データに自装置に関する送信元情報を付加する付加手段を更に備え、
前記表示手段は、前記付加手段により前記送信元情報が付加された原稿データを表示し、
前記選択受付手段は、送信元情報が付加された原稿データの中から送信すべき原稿データの選択を受け付け、
前記通信手段は、送信元情報が付加され、選択された原稿データを送信することを特徴とする請求項１又は請求項２に記載の画像処理装置。
【請求項４】
通信相手先の宛名情報を含むカバーページデータを生成するカバーページ生成手段を更に備え、
前記表示手段は、前記カバーページ生成手段により生成されたカバーページデータを、表示するとともに、前記選択受付手段は、前記表示手段に表示されたカバーページデータの選択を受け付け、前記通信手段は、選択されたカバーページデータを送信すべき原稿データと合わせて、前記通信相手装置に送信することを特徴とする請求項１から請求項３いずれかに記載の画像処理装置。
【請求項５】
前記原稿データ受付手段は、前記通信手段が前記通信確立情報を受信した後に、更に追加原稿データの入力を受け付け、
前記原稿データ受付手段により前記追加原稿データの入力を受け付けると、前記記憶手段は既に記憶されている前記原稿データに追加して、当該追加原稿データを記憶し、
前記表示手段は既に表示されている前記原稿データに追加して、前記追加原稿データを表示し、
前記選択受付手段は前記表示手段に表示された前記原稿データ及び前記追加原稿データの中から送信すべき原稿データの選択を受け付け、
前記通信手段は選択された送信すべき原稿データを通信相手装置に送信することを特徴とする請求項１から請求項４のいずれかに記載の画像処理装置。
【請求項６】
前記記憶手段に記憶された原稿データを削除する削除手段を更に備え、
前記選択受付手段は前記表示手段に表示された原稿データの中から削除すべき原稿データの選択を受け付け、前記削除手段は選択された削除すべき原稿データを削除することを特徴とする請求項１から請求項５のいずれかに記載の画像処理装置。
【請求項７】
前記選択受付手段は、前記表示手段に表示された原稿データの中から修正すべき原稿データの選択を受け付けるとともに、修正内容の入力を受け付け、
前記原稿データ修正手段は、前記選択受付手段により選択された修正すべき原稿データを、前記選択受付手段により入力を受け付けた修正内容に応じて修正することを特徴とする請求項１から請求項６のいずれかに記載の画像処理装置。
【請求項８】
前記送信手段により前記通信相手装置へ原稿データを送信するときに、送信開始時刻を当該原稿データに付加する送信時刻付加手段を更に備え、
前記表示手段は、送信開始時刻が付加された原稿データを表示するとともに、前記通信手段は、送信開始時刻が付加された原稿データを前記通信相手装置に送信することを特徴とする請求項１から請求項７のいずれかに記載の画像処理装置。
【発明の詳細な説明】
【技術分野】
【０００１】
本発明は、画像処理装置に関し、詳しくは、入力された原稿データを記憶した後に、通信相手装置に送信する画像処理装置に関する。
【背景技術】
【０００２】
従来より、例えばファクシミリ装置のような原稿データを通信相手装置に送信する画像処理装置においては、入力された原稿データを記憶領域に記憶させずに、そのまま通信相手装置に送信するリアルタイム送信機能と、一旦記憶領域に記憶させた後に、所定の処理動作にしたがって通信相手装置に送信するメモリ送信機能と、を備えるものがある（例えば特許文献１）。
【０００３】
リアルタイム送信では、装置内の記憶領域に空き容量がない場合でも原稿データの入力を受け付けて送信することができる利点がある。また、リアルタイム送信においては、回線に接続した後に、原稿を読み取りそのまま送信するので、原稿データが確実に送信されていることを、画像処理装置の利用者が極めて容易に視認することができる。
【０００４】
一方、メモリ送信機能を用いると、回線が使用中である場合などにも、原稿データの入力を受け付けることができ、回線が解放された後に予め設定された条件で原稿データを送信するので、利用者は回線が解放されるのを待って操作する必要がない。また、原稿データの入力を受けた後に通信を開始するので、原稿の読み取りエラーの場合などに不完全な原稿データを通信相手装置に送信してしまうことがない。さらに、事前に送信操作を行っておき任意の時刻に送信する送信予約機能など、様々な便利な機能を実現することができる。
【０００５】
以上のような利点の相違から、画像処理装置の利用者は、リアルタイム送信機能とメモリ送信機能とを、場合に応じて使い分けている。
【特許文献１】特開平８−２９３９９１号公報
【発明の開示】
【発明が解決しようとする課題】
【０００６】
そこで、原稿データが確実に送信されていることを、画像処理装置の利用者が確認するためには、リアルタイム送信を行うことが望ましいが、リアルタイム送信では、メモリ送信に比べて、回線が他の用途で使用されているときには送信することができず、また、通信途中に原稿の読取エラーが発生した場合には、不完全な原稿データが通信相手装置に送信されるという問題がある。一方、近年の記憶装置の小型軽量化、高度化、低価格化によって、装置内の記憶領域に空き容量がなく、メモリ送信機能が使用できない場合は減ってきている。
【０００７】
そこで、本発明は、メモリ送信機能を用いて原稿データを通信相手装置に送信するときに、原稿が確実に送信されていることを容易に視認することができる画像処理装置を提供することを目的とする。
【課題を解決するための手段】
【０００８】
上記目的を達成するために、請求項１に記載の画像処理装置は、原稿データの入力を受付ける原稿データ受付手段と、前記原稿データ受付手段により受け付けられた原稿データを記憶する記憶手段と、前記記憶手段に記憶された原稿データを表示する表示手段と、通信相手装置との間で情報の送受信を行う通信手段と、前記表示手段に表示された原稿データの中から送信すべき原稿データの選択を受け付ける選択受付手段と、を備える画像処理装置であって、前記原稿データ受付手段による原稿データの入力の受け付けが完了し、前記記憶手段により当該原稿データが記憶された場合に、前記通信手段は通信相手装置に対して発呼を行い、前記通信手段が前記通信相手装置から通信の確立を知らせる通信確立情報を受信した後に、前記選択受付手段は、前記表示手段に表示された原稿データの中から送信すべき原稿データの選択を受け付け、前記通信手段が、選択された原稿データを前記通信相手装置に送信すること特徴としている。
【０００９】
この構成によれば、原稿データ受付手段により原稿データの入力は受け付けられる。また、記憶手段により、原稿データ受付手段が受け付けた原稿データは記憶される。そして、表示手段により記憶手段に記憶された原稿データは表示される。そして、通信手段により通信相手装置との間で情報の送受信は行われる。また、選択受付手段により表示手段に表示された原稿データの中から送信すべき原稿データの選択は受け付けられる。原稿データ受付手段により原稿データの入力の受け付けが完了し、記憶手段により原稿データが記憶された場合に、前記通信手段により通信相手装置に対して発呼が行われる。そして、通信手段により通信相手装置から通信の確立を知らせる通信確立情報が受信されると、選択受付手段により表示手段に表示された原稿データの中から送信すべき原稿データの選択は受け付けられる。そして、通信手段により選択された原稿データは通信相手装置に送信される。
【００１０】
なお、ここで、「原稿データ受付手段」には、紙などの原稿をスキャナ装置で読み取って原稿データを生成する手段及び画像処理装置が接続されているＬＡＮに接続された他の情報処理装置からＬＡＮ−Ｉ／Ｆなどを介して画像データを受け付ける手段を含む。また、「原稿データ」とは、ＦＡＸ送信する画像情報をデータ化したものであり、「原稿データを表示」とは、原稿データを画像化して表示することをいう。また、「原稿データの入力の受け付けが完了」するとは、例えば、自動原稿給送装置（ＡＤＦ：Automatic Document Feeder）の原稿トレイに載置された原稿を、スキャナ装置で読み取って画像データを生成する場合に、原稿トレイに載置された全ての原稿が搬送されて、原稿の最後の一枚まで読み取りを完了すること、スキャナ装置の原稿載置台のプラテンガラスに原稿を一枚づつ載置して、原稿を読み取って画像データを生成する場合に、画像処理装置の操作者の操作により「次の原稿はない」旨の情報の入力を受け付けること、及びＬＡＮ−Ｉ／Ｆから原稿データのファイルの入力を受け付ける場合に、ファイルの終端を示す情報の入力を受け付けること、等を含む。
【００１１】
このように、本発明の画像処理装置によると、原稿データの入力を受け付け、記憶手段に記憶し、その後、記憶された原稿データを通信手段により送信する所謂メモリ送信において、通信手段が通信相手装置から通信の確立を知らせる通信確立情報を受け取った後に、送信すべき原稿データを選択し、その後に、通信手段により選択された原稿データを通信相手装置に送信する。すなわち、メモリ送信において、通信が確立した後に、送信すべき原稿データの選択を受け付けるものである。これにより、画像処理装置の利用者は、原稿データの選択を行うことにより、通信の確立を確認することができる。したがって、所謂リアルタイム送信のように、原稿が通信相手装置に確実に送信されていることを確認しながら、送信を行うことができる。
【００１２】
また、原稿データの入力の受け付けは、通信相手装置に発呼する前に完了するので、所謂リアルタイム送信のように、通信途中に原稿の読取エラーが発生して、不完全な原稿データが通信相手装置に送信されることもない。
【００１３】
さらに、本発明の画像処理装置を用いると、メモリ送信機能を用いて、リアルタイム送信機能と同様に、原稿が確実に送信されていることを視認できるものであるので、画像処理装置にリアルタイム送信機能を搭載する必要がない。したがって、リアルタイム送信機能とメモリ送信機能との双方の機能を搭載した場合に比べて、画像処理装置の構成を簡略化することができ、安価なものとすることができる。
【００１４】
請求項２に記載の画像処理装置は、請求項１に記載の画像処理装置であって、原稿データを変換可能な原稿データ変換手段を更に備え、前記通信手段が前記通信相手装置の受信能力情報を受信した場合に、前記原稿データ変換手段は、当該受信能力情報に基いて決定される送信条件に応じて、前記記憶手段に記憶されている原稿データを変換し、前記原稿データ変換手段により前記原稿データが変換された場合に、前記表示手段は、前記原稿データ変換手段により変換された原稿データを表示し、前記選択受付手段は、前記表示手段に表示された変換された原稿データの中から送信すべき原稿データの選択を受け付け、前記通信手段は、選択された原稿データを前記通信相手装置に送信することを特徴としている。
【００１５】
この構成によれば、通信手段が通信相手装置の受信能力情報を受信した場合に、原稿データ変換手段により当該受信能力情報に基いて決定される送信条件に応じて、記憶手段に記憶されている原稿データは変換される。原稿データ変換手段により原稿データが変換された場合に、表示手段により原稿データ変換手段により変換された原稿データは表示される。また、選択受付手段により表示手段に表示された変換された原稿データの中から送信すべき原稿データの選択は受け付けられる。そして、通信手段により選択された原稿データは通信相手装置に送信される。
【００１６】
このように、通信手段が通信相手装置の受信能力情報を受信すると、この受信能力情報に基づいて決定される送信条件に応じて、記憶手段に記憶された原稿データを原稿データ変換手段により変換して、通信相手装置の受信能力に合致した原稿データを通信相手装置に送信する。そして、原稿データ変換手段により原稿データを変換した後であって、通信手段により原稿データを送信する前に、表示手段に変換された原稿データを選択可能に表示し、選択受付手段により原稿データの選択を受け付けるので、画像処理装置の利用者は、通信相手装置の受信能力情報に基づいて決定される送信条件に応じて変換された原稿データを確認しながら送信すべき原稿データを選択できる。すなわち、画像処理装置の利用者は、実際に送信される条件で変換された画像データを確認しながら送信すべき原稿データを選択できる。
【００１７】
請求項３に記載の画像処理装置は、請求項１又は請求項２に記載の画像処理装置であって、前記原稿データに自装置に関する送信元情報を付加する付加手段を更に備え、前記表示手段は、前記付加手段により前記送信元情報が付加された原稿データを表示し、前記選択受付手段は、表示された原稿データの中から送信すべき原稿データの選択を受け付け、前記通信手段は、送信元情報が付加され、選択された原稿データを送信することを特徴としている。
【００１８】
この構成によれば、付加手段により原稿データに自装置に関する送信元情報は付加される。表示手段により送信元情報が付加された原稿データは表示される。また、選択受付手段により送信元情報が付加された原稿データの中から送信すべき原稿データの選択は受け付けられる。通信手段により送信元情報が付加され、選択された原稿データは送信される。
【００１９】
このように、付加手段は送信元情報を原稿データに付加し、表示手段は送信元情報が付加された原稿データを表示し、操作手段は表示された原稿データの中から送信すべき原稿データの選択を受け付け、選択された原稿データを送信手段が送信するので、画像処理装置の利用者は、実際に送信される原稿データと同様の送信元情報が付加された原稿データの表示を確認しながら、送信すべき原稿データを選択できる。
【００２０】
請求項４に記載の画像処理装置は、請求項１から請求項３のいずれかに記載の画像処理装置であって、通信相手先の宛名情報を含むカバーページデータを生成するカバーページ生成手段を更に備え、前記表示手段は、前記カバーページ生成手段により生成されたカバーページデータを、表示するとともに、前記選択受付手段は、前記表示手段に表示されたカバーページデータの選択を受け付け、前記通信手段は、選択されたカバーページデータを送信すべき原稿データと合わせて、前記通信相手装置に送信することを特徴としている。
【００２１】
この構成によれば、カバーページデータ生成手段により通信相手先の宛名情報を含むカバーページデータは生成される。表示手段により、カバーページ生成手段により生成されたカバーページデータは表示される。また選択受付手段により表示手段に表示されたカバーページデータの選択は受け付けられる。通信手段により選択されたカバーページデータは送信すべき原稿データと合わせて通信相手装置に送信される。
【００２２】
これにより、画像処理装置の利用者は、表示手段に表示されたカバーページデータを確認しながら、送信するカバーページデータを選択することができる。
【００２３】
請求項５に記載の画像処理装置は、請求項１から請求項４のいずれかに記載の画像処理装置において、前記原稿データ受付手段は、前記通信手段が前記通信確立情報を受信した後に、更に追加原稿データの入力を受け付け、前記原稿データ受付手段により前記追加原稿データの入力を受け付けると、前記記憶手段は既に記憶されている前記原稿データに追加して、当該追加原稿データを記憶し、前記表示手段は既に表示されている前記原稿データに追加して、前記追加原稿データを表示し、前記選択受付手段は前記表示手段に表示された前記原稿データ及び前記追加原稿データの中から送信すべき原稿データの選択を受け付け、前記通信手段は選択された送信すべき原稿データを通信相手装置に送信することを特徴としている。
【００２４】
この構成によれば、原稿データ受付手段により通信手段が通信確立情報を受信した後に、更に追加原稿データの入力は受け付けられる。原稿データ受付手段により追加原稿データの入力が受け付けられると、記憶手段により既に記憶されている原稿データに追加して、追加原稿データが記憶される。また、表示手段により、既に表示されている原稿データに追加して追加原稿データは表示される。そして、選択受付手段により、表示手段に表示された原稿データ及び追加原稿データの中から送信すべき原稿データの選択は受け付けられる。また、通信手段により選択された送信すべき原稿データは通信相手装置に送信される。
【００２５】
このように、通信手段が通信確立情報を受信した後、すなわち、通信相手装置との間に通信が確立した後に、更に追加原稿データの入力を受け付けることができる。そして、追加原稿データは、記憶手段に記憶され、表示手段に追加表示され、選択受付手段により選択が受け付けられた後、通信手段により選択された原稿データを送信するので、通信相手装置との通信が確立した後に、入力を受け付けた原稿データを送信することができる。したがって、通信確立後に原稿を追加する必要があると気付いた場合に、原稿データを追加して送信することができる。
【００２６】
請求項６に記載の画像処理装置は、請求項１から請求項５のいずれかに記載の画像処理装置であって、前記記憶手段に記憶された原稿データを削除する削除手段を更に備え、前記選択受付手段は前記表示手段に表示された原稿データの中から削除すべき原稿データの選択を受け付け、前記削除手段は選択された削除すべき原稿データを削除することを特徴としている。
【００２７】
この構成によれば、削除手段により記憶手段に記憶された原稿データは削除される。また選択受付手段により表示手段に表示された原稿データの中から削除する原稿データの選択は受け付けられる。そして、削除手段により選択された削除すべき原稿データは削除される。
【００２８】
これにより、表示手段に表示された原稿データの中から選択された原稿データを削除することができる。したがって、例えば、原稿データ受付手段により受け付けた複数枚の原稿データの中に送信相手装置に送信すべきでない原稿データが含まれている場合などに、送信すべきでない原稿データを削除することができる。特に、請求項２の画像処理装置と組み合わせると、原稿データ変換手段により送信条件に応じて変換された原稿データが表示手段に表示され確認することができるので、実際に送信する送信条件の原稿データを確認しながら削除すべき原稿データを選択できる。したがって、例えば、原稿データを変換した結果、原稿の文字を読み取ることができなくなったような場合に、その原稿データを削除することができる。
【００２９】
請求項７に記載の画像処理装置は、請求項１から請求項６のいずれかに記載の画像処理装置であって、前記選択受付手段は、前記表示手段に表示された原稿データの中から修正すべき原稿データの選択を受け付けるとともに、修正内容の入力を受け付け、前記原稿データ修正手段は、前記選択受付手段により選択された修正すべき原稿データを、前記選択受付手段により入力を受け付けた修正内容に応じて修正することを特徴としている。
【００３０】
この構成によれば、選択受付手段により表示手段の中から修正すべき原稿データの選択は受け付けられるとともに、修正内容の入力も受け付けられる。原稿データ修正手段により選択受付手段により選択された修正すべき原稿データは選択受付手段により入力を受け付けた修正内容に応じて修正される。
【００３１】
したがって、例えば、原稿データ受付手段により入力を受け付けた原稿データの中に例えば上下が逆の場合、又は原稿データを拡大又は縮小したい場合等に、修正する原稿データを選択し、回転、拡大、又は縮小の修正内容を選択することで、原稿データを送信に適した状態に修正することができる。特に、請求項２の画像処理装置と組み合わせることで、原稿データ変換手段により送信条件に応じて変換された原稿データが表示手段に表示され確認することができるので、送信する条件の原稿データを確認しながら修正すべき原稿データを選択できる。
【００３２】
請求項８に記載の画像処理装置は、請求項１から請求項７のいずれかに記載の画像処理装置であって、前記送信手段により前記通信相手装置へ原稿データを送信するときに、送信開始時刻を当該原稿データに付加する送信時刻付加手段を更に備え、前記表示手段は、送信開始時刻が付加された原稿データを表示するとともに、前記通信手段は、送信開始時刻が付加された原稿データを前記通信相手装置に送信することを特徴としている。
【００３３】
この構成によれば、送信手段により通信相手装置へ原稿データを送信するときに、送信時刻付加手段により送信開始時刻が原稿データに付加される。また、表示手段により送信開始時刻が付加された原稿データは表示される。そして、通信手段は送信開始時刻が付加された原稿データを通信相手装置に送信する。
【００３４】
これにより、原稿データには、送信開始時刻が付加されて、表示手段に表示されるとともに、通信相手装置に送信されるので、画像処理装置の利用者は、送信開始時刻が付加された原稿データを確認することができる。実際に送信された原稿データと同様の送信開始時刻が付加された原稿データを確認することができる。
【発明を実施するための最良の形態】
【００３５】
以下、本発明に係る画像処理装置の一例としての複合機１について説明する。複合機１は、スキャン機能、印刷機能、複写機能、ファクシミリ通信機能、電子メール通信機能等を備えており、ファクシミリのメモリ送信機能を有するものである。
【００３６】
図１は、複合機１の構成例を示したブロック図である。この複合機１は、図１に示すように、制御部（ＣＰＵ：Central Processing Unit）１０１、ＲＯＭ（Read Only Memory）１０２、ＲＡＭ（Random Access Memory）１０３、原稿読取部１０４、画像処理部１０５、コーデック１０６、画像メモリ１０７、プリンタ１０８、操作部１０９、表示部１１０、ＦＡＸ通信部１１１、ＬＡＮ−Ｉ／Ｆ１１２を備えており、各部１０１から１１２は、バス１１３によって通信可能に接続されている。
【００３７】
ＣＰＵ１０１は、ＲＯＭ１０２に格納されている制御プログラムに従って、複合機１の各部の動作を制御する。ＲＯＭ１０２は、ＣＰＵ１０１によりこの複合機１の各部の動作を制御するための前記制御プログラム等を格納する。このＲＯＭ１０２に格納されるプログラムとしては、例えば、ファクシミリ送信を行う際に、カバーページの生成を行うカバーページ生成プログラム、及びファクシミリ送信を行う際に、原稿データに送信元情報を付加する送信元情報付加プログラムなどが挙げられる。ＲＡＭ１０３は、複合機１の動作に用いる設定情報等の各種データ等を、読み出し及び書き込みが可能な状態で記憶するものである。
【００３８】
原稿読取部１０４は、紙などの原稿の画像を読み取って原稿データを生成するものであり、図示しないが、例えば、透明な原稿載置板に載置された原稿を読み取るフラット・ベッド・スキャナ（ＦＢＳ：Flat Bed Scanner）、及び原稿トレイに載置された原稿を読み取るべく、その原稿を搬送する自動原稿給送装置を備えている。
【００３９】
画像処理部１０５は、原稿読取部１０４から出力された原稿データに対して、色調整、色空間変換、２値化、サイズ変換、解像度変換等の処理を行うものである。コーデック１０６は、画像処理部１０５等によって処理された原稿データを符号化（エンコード）し、また、符号化された原稿データ（画像データ）を復号（デコード）するものである。コーデック１０６に入力された原稿データは、ＪＰＥＧ、ＭＨ、ＭＲ、ＭＭＲ、ＪＢＩＧ方式等に基づいて符号化され、画像メモリ１０７に記憶される。なお、画像処理部１０５及びコーデック１０６は、原稿読取部１０４から出力されたデータに対する処理のほかに、ＦＡＸ通信部１１１又はＬＡＮ−Ｉ／Ｆ１１２を介して受け取った原稿データに対する処理も行い、この原稿データも画像メモリ１０７に記憶される。さらに、画像処理部１０５及びコーデック１０６は、ＲＯＭ１０２に格納されたカバーページ生成プログラムなどの画像生成プログラムに従って、複合機１の内部で生成された原稿データに対する処理も行い、この原稿データも原稿メモリ１０７に記憶される。
【００４０】
プリンタ１０８は、画像メモリ１０７から読み出され、コーデック１０６によって復号された画像を印刷出力するものである。
【００４１】
操作部１０９は、図示しないが、コピー、ファクシミリ、スキャン、プリントアウトの各処理を選択する処理選択キー、原稿の読み取り動作の開始を指示するためのスタートキー、ファクシミリ番号、コピー部数等を入力するためのテンキー、操作対象を指定するためのカーソルキー、操作の決定を行う決定キー等の入力キーを備えている。
【００４２】
表示部１１０は、各種の設定状態及び複合機１の動作状態等を表示する大型タッチパネル式の液晶表示装置（ＬＣＤ：Liquid Crystal Display）を備えている。なお、表示部１１０は、本実施形態においてはカラー表示可能なものであり、原稿読取部１０４で読み取ったカラー原稿データを表示することができる。
【００４３】
ＦＡＸ通信部１１１は、原稿データをファクシミリ通信するものであり、図示しないが、モデム（ＭＯＤＥＭ：MOdulator-DEModulator）及びＮＣＵ（Network Control Unit）を備えている。モデムは、例えばＩＴＵ−Ｔ（国際電気通信連合電気通信標準化部門）勧告のＶ．３４方式、Ｖ．２７ｔｅｒ方式、Ｖ．２９方式、Ｖ．１７方式、又はこれと同様のものに従った送受信データの変調及び復調を行うものである。ＮＣＵは、電話回線を制御して電話をかけたり、切ったりする回線網制御装置であり、ＰＳＴＮ（Public Switched Telephone Networks：公衆交換電話網）２０１に接続される。ＰＳＴＮ２０１には、複合機１の他にファクシミリ装置２０２等が通信可能に接続され、複合機１は、ファクシミリ装置２０２等との間で原稿データをファクシミリ送受信することが可能である。
【００４４】
ＬＡＮ−Ｉ／Ｆ（local area network-interface）１１２は、複合機１をＬＡＮ（local area network）２０３に接続可能にするものである。ＬＡＮ２０３には、パーソナルコンピュータ２０４等が接続され、複合機１はパーソナルコンピュータ２０４等との間でデータの通信が可能である。また、ＬＡＮ２０３は、ルータ２０５を介してインターネット２０６に接続されている。したがって、複合機１は、他の複合機２０７等との間でインターネットファクシミリ通信（電子メール通信）を行うことも可能である。
【００４５】
次に、上述の構成を有する複合機１を用いてＦＡＸ送信処理を行うときに、ＦＡＸ送信処理の各段階で、複合機１の表示部１１０の液晶表示装置の画面に表示される画像について図２から図７を参照しつつ説明する。ＦＡＸ送信処理においては、まず、複合機１の原稿読取部１０４により原稿を読み取って原稿データを生成し、または、ＬＡＮ２０３上のパーソナルコンピュータ２０４において生成した原稿データを、ＬＡＮ−Ｉ／Ｆ１１２を介して受け付ける。そして、予め複合機１の利用者が操作部１０９を用いて設定したＦＡＸ設定条件に基いて、画像処理部１０５において、色調整、色空間変換、２値化、サイズ変換、解像度変換等の処理を行い、コーデック１０６で符号化して、画像メモリ１０７に記憶している。図２は、画像メモリ１０７に、原稿読取部１０４で読み取った原稿データ、又は、ＬＡＮ−Ｉ／Ｆ１１２が受け付けた原稿データが画像メモリ１０７に記憶され、複合機１の利用者が設定した通信相手装置のＦＡＸ番号に基いて、ＦＡＸ通信部１１１が発呼しているときの表示部１１０の画面に表示される画像を示している。
【００４６】
ファクシミリ送信操作中の表示部１１０の画面は情報表示領域３１０、画像表示領域３２０、及び操作表示領域３３０に分けられる。情報表示領域３１０は、複合機１の状態、処理の内容、及び現在の時刻等の情報を表示するものであり、複合機１の利用者は、この情報表示領域３１０を見て、複合機１の状態及び処理動作等を確認する。図２においては、複合機１は、ＦＡＸ通信部１１１により通信相手装置を呼び出す処理を行っており、呼び出し中の通信相手装置のＦＡＸ番号は、「０７５−ＸＸＸＸ−ＸＸＸＸ」であることを示している。また、複合機１が把握している現在の時刻は２００７年３月３０日の１３時１０分であることを示している。
【００４７】
画像表示領域３２０には、画像メモリ１０７に記憶された原稿データをコーデック１０６で復号し、画像処理部１０４で表示部１１０に表示できる形式に変換した後、原稿画像３２１から３２６として表示している。なお、ここで、原稿画像３２１から原稿画像３２５は、例えば原稿読取部１０４でＡ４の原稿として読み取って原稿データを生成したものであり、複合機の利用者が設定した解像度に従って、解像度４００ｄｐｉ×４００ｄｐｉで読み取られた白黒の画像データを表示部１１０に表示できる形式に変換したものである。また、原稿画像３２６は、原稿読取部１０４でＡ３の原稿として読み取って原稿データを生成したものであり、解像度４００ｄｐｉ×４００ｄｐｉで読み取られた白黒の画像データを表示部１１０に表示できる形式に変換したものである。なお、原稿データの枚数が多く又は原稿データの画像サイズが大きく、画像表示領域３２０に表示しきれないときには、側部に表示されたスクロールバー３２９の下矢印３２９ａを操作して、他の原稿画像を表示させることができる。また、画像表示領域３２０は、表示部１１０の画面の各原稿画像３２１から３２６が表示された部分に指などを接触させることで選択できるタッチパネルとなっている。
【００４８】
操作表示領域３３０には、閉じる指示ボタン３３１、送信指示ボタン３３２、拡大指示ボタン３３３、修正指示ボタン３３４、及び削除指示ボタン３３５の各種指示ボタンが表示されている。そして、この操作表示領域３３０も、画面上の各種指示ボタンが表示された位置に指などで接触することにより各種指示ボタンを選択することができるように構成されている。なお、本実施形態においては、複合機１は、通信相手装置との間で通信が確立する前に、原稿データを液晶表示装置に表示するが、通信確立前には原稿データを表示しないものであってもよい。
【００４９】
次に、図３を参照しつつ、図２においてＦＡＸ通信部１１１が通信相手装置に発呼した結果、通信相手装置から、通信の確立を知らせる通信確立情報及び受信能力情報を受信したときの表示部１１０の画面の表示を説明する。図３は、ＦＡＸ通信部１１１が通信確立情報及び受信能力情報を受け取ったときの表示部１１０の画面の表示を示す。なお、本実施形態において、通信確立情報としては、複合機１のＦＡＸ通信部１１１が通信相手装置に送信したＣＮＧ（Calling Tone）信号に対する応答として、通信相手先装置から送信されるＣＥＮ（Called Tone）信号が、通信確立情報に該当する。また、通信相手装置の受信能力情報としては、通信相手装置から送信されるＮＳＦ（Non-Standerd Facikities：非標準装置信号）、ＣＳＩ（Called Subscriber Identification：被呼局識別信号）、及び／又はＤＩＳ（Digital Identification Signal：デジタル識別信号）などの通信相手装置の受信能力に関する情報が該当する。
【００５０】
ＦＡＸ通信部１１１が通信確立情報を受け取ると、すなわち、通信相手装置との間で、通信が確立すると、情報表示領域３１０の表示が、「呼び出し中」から「接続中」に変更される。そして、更に通信相手装置の受信能力情報を受信すると、この受信能力情報が表示される。例えば、受信できる原稿幅が２１０ミリメートル以下であるときには、最大原稿用紙がサイズとして「Ａ４」が表示され、受信できる画像解像度が２００ｄｐｉ×１００ｄｐｉ以下であるときには「標準」が表示され、通信している通信相手装置のＦＡＸ番号がＲＡＭに登録されている番号であるときには、その登録に基いて、通信相手先の名前を「ＡＢＣ物産（株）」などのように表示する。
【００５１】
ＦＡＸ通信部１１１が通信確立情報を受け付けると、更に、ＲＯＭ１０２に格納されているカバーページ生成プログラムに従って、カバーページの生成を行う。すなわち、通信が確立した通信相手装置のＦＡＸ番号に基いて、ＲＡＭ１０３に登録されている相手先名を入手し、その相手先名を宛名として、送信元名、日付、所定のあいさつ文など付加したカバーページデータを生成する。そして、このカバーページデータ及び既に画像メモリ１０７に記憶されている画像データを、画像処理部１０５において、通信相手装置から受信した受信能力情報に基づいて決定される送信条件に応じて変換する。具体的には、既に表示されている原稿画像３２１から３２６の原稿データを、解像度４００ｄｐｉ×４００ｄｐｉから通信相手装置の受信できる解像度である２００ｄｐｉ×１００ｄｐｉに変換する。また、カバーページデータの解像度も同様に２００ｄｐｉ×１００ｄｐｉに変換する。そして、原稿画像３２６の原稿データの原稿サイズをＡ３から通信相手装置の受信できる原稿サイズであるＡ４に変換する。なお、このとき、原稿画像３２１から３２５までの原稿データの原稿サイズはＡ４であるので、変換しない。さらに、各原稿画像３２１から３２７の原稿データ及びカバーページデータの上部に送信元情報３２ａとして、自複合機１の利用者の名称及びＦＡＸ番号を例えば「ＤＥＦ商店」「０６−ＹＹＹＹ−ＹＹＹＹ」のように付加する。
【００５２】
そして、画像処理部１０５により、以上のように変換された原稿データの原稿画像３２１から３２６及びカバーページデータのカバーページ画像３２７を画像表示領域３２０に表示する。また、画像表示領域３２０右上端には、通信相手装置との通信が確立してからの経過時間を示す通信時間、例えば「８秒」が表示される。
【００５３】
次に、複合機１が通信相手装置と接続された状態で、複合機１の利用者が、送信する原稿データを選択したときの表示部１１０の画面の表示について、図４を参照しつつ説明する。図４は、複合機１の利用者が送信する原稿データとして、原稿画像３２１から３２６を選択したときの表示部１１０の画面に表示される画像を示す。複合機１の利用者が、通信相手装置と接続された状態で、指などを画像表示領域３２０に表示された原稿画像３２１から３２７のいずれかに接触させると、その接触された原稿画像が選択される。例えば、原稿画像３２４が選択されると、原稿画像３２４に対応付けてその選択を示すマーク３２ｄが表示される。そして、さらに、複合機１の利用者が、操作表示領域３３０各指示ボタン３３１から３３５に指などを接触させると、各指示ボタン３３１から３３５の各処理内容が選択される。例えば、送信指示ボタン３３２に複合機１の利用者の指などが接触すると、送信の処理が選択される。上述の操作を繰り返すことにより、図４では、既に、原稿画像３２１から３２５及び原稿画像３２７が選択されている。原稿データを通信相手装置に送信する順序は、送信する各原稿画像が選択された順であり、この選択順にしたがって、原稿画像３２１から３２５及び原稿画像３２７の左上部には、「Ｐ１」から「Ｐ６」の表示がなされている。すなわちこの「Ｐ１」から「Ｐ６」は送信原稿データの送信順を表す。
【００５４】
さらに、送信する原稿データが選択されると、画像処理部１０５により、画像メモリ１０７に記憶されている原稿データには、下部にページ情報３２ｂが付加されて、画像表示領域３２０に表示される。具体的には、送信する原稿データの原稿画像として最初に選択されたカバーページデータの原稿画像３２７に１ページの表示がなされ、選択された順に原稿画像３２１、３２２、３２３、３２５、３２４の順でそれぞれ２ページから６ページまでが表示される。なお、原稿画像３２６の左上部には、「Ｐ７」の表示がなされておらず、また、原稿画像３２７の下部にはページ情報が付加されていない。これは、原稿画像３２７の原稿データは未だ送信の選択がなされていないことを表す。
【００５５】
そして、送信する原稿データのうち１ページ目の原稿データから送信が開始される。送信が開始される原稿データは、画像処理部１０５により上部に送信開始時刻情報３２ｃが付加されてＦＡＸ通信部１１１により送信されるとともに、この送信開始時刻情報３２ｃが付加された原稿データが画像メモリ１０７に記憶される。そして、送信開始時刻情報３２ｃが付加された原稿データの原稿画像３２１が画像表示領域３２０に表示される。送信中の原稿データの原稿画像３２１の周辺の表示は、他の原稿画像に比べて、濃く表示されており、送信中であることを複合機１の利用者に認識させることができるように表示されている。
【００５６】
次に、複合機１の利用者が、原稿画像３２１から３２７を拡大させる選択したときの表示部１１０の画面の表示について、図５を参照しつつ説明する。図５は原稿画像３２１が拡大する原稿画像として選択されたときの表示部１１０の画面の表示を示す。図２から図４に示すように、原稿画像３２１から３２７が表示部１１０の画像表示領域３２０に表示されているときに、複合機１の利用者が表示部１１０の画面の原稿画像３２１から３２７が表示されている場所に指などで接触すると、原稿画像３２１から３２７のいずれかが選択できる。そして、原稿画像３２１から３２７を選択した後に、操作表示領域３３０の拡大指示ボタン３３３に複合機１の利用者の指などが接触すると、処理の選択が行われ、選択された画像原稿３２１から３２７の表示を実際に送信する原稿の原寸大に拡大する処理が行われる。例えば、原稿画像３２１が選択され、拡大指示ボタン３３３が選択されると、図５に示すように、原稿画像３２１の原稿データのサイズであるＡ４の大きさで、原稿画像３２１が拡大されて表示される。表示部１１０は、Ａ４原稿の横幅よりも幅が広く、縦幅が狭いので、例えば原寸大に拡大した原稿画像３２１は、例えば上側半分ほどが表示され、側部に配置したスクロールバー３２９を操作することにより、下側を表示することができる。
【００５７】
次に、複合機１の利用者が、原稿画像３２１から３２７の原稿データを修正する選択をしたときの表示部１１０の画面に表示される画像について、図６を参照しつつ説明する。図６は、原稿画像３２２を回転させる選択をしたときの表示部１１０の画面の表示を示す。画像メモリ１０７に記憶されている原稿データを、複合機１の操作者が任意で修正したい場合に、画像表示領域３２０に表示された原稿画像３２１から３２７の中から、修正したい原稿データを表す原稿画像を選択し、さらに、操作表示領域３３０に表示される修正指示ボタン３３４を選択する。修正指示ボタン３３４を選択すると更に、サイズ修正ボタン３３６、解像度修正ボタン３３７、回転ボタン３３８、濃度修正ボタン３３９、白黒／カラー変更ボタン３４０等の修正内容を選択する表示が操作表示領域３３０の下部になされる。そして、複合機１の利用者の指などが、修正内容を選択するボタン３３６から３４０のいずれかに接触されると、選択した修正内容で、画像メモリ１０７に記憶されている原稿データが修正され、それに伴い、画像表示領域３２０に表示されている原稿画像も修正される。なお、サイズ修正ボタン３３６が選択されると、原稿データの原稿サイズがＡ３、Ｂ４、Ａ４、Ｂ５、及び葉書サイズなどの間で修正される。また、解像度修正ボタン３３７が選択されると、解像度が標準（２００ｄｐｉ×１００ｄｐｉ）、高画質（２００ｄｐｉ×２００ｄｐｉ）、超高画質（４００ｄｐｉ×４００ｄｐｉ）等の間で修正される。更に、回転ボタン３３８が選択されると、原稿データが９０度づつ回転される。そして、濃度修正ボタン３３９が選択されると、原稿データの濃度が例えば１０段階で修正される。また、白黒／カラー変更ボタン３４０が選択されると、カラーであった原稿データが白黒に変更される。
【００５８】
例えば、原稿を上下逆さまに読み取った場合のように、原稿データを回転させて上下を正しい方向に修正したい場合がある。このようなときに、複合機１の利用者により、図６に示すように、原稿画像３２２が選択され、更に、修正指示ボタン３３４が選択され、回転ボタン３３８が選択される。そして、選択された修正内容にしたがって、選択された原稿画像３２２が時計回りに９０度回転される。なお、このときに更に、回転ボタン３３８を選択すると更に原稿画像３２２を時計回りに９０度回転させることができ、上下方向を正しくすることができる。
【００５９】
次に、複合機１の利用者が、原稿画像３２１から３２７の原稿データを削除する選択をしたときの表示部１１０の画面に表示される画像について、図７を参照しつつ説明する。図７は、原稿画像３２６を削除させる選択をし、更に原稿画像３２８、３２９の原稿データを原稿読取部１０４が新たに追加して読み取ったときの表示部１１０の画面の表示を示す。まず、画像表示領域３２０に表示された原稿画像３２１から３２７の中から、例えば、原稿画像３２６が選択され、そして、操作表示領域３３０に表示されている削除指示ボタン３３５が選択されると、画像メモリ１０７に記憶された原稿データのうち原稿画像３２６の原稿データが削除される。そして、画像表示領域３２０に表示されていた原稿画像３２６の表示が削除される。
【００６０】
さらに、複合機１の利用者が、新たに原稿データの追加をしたときの表示部１１０の画面に表示される画像について、図７を参照しつつ説明する。追加する原稿が原稿読取部１０４に読み取られると、その追加原稿データは、ＦＡＸ通信部が受信した通信相手装置の受信能力情報に基いて決定される送信条件に応じて画像処理部１０５で変換され、コーデック１０６で符号化されて、画像メモリ１０７に記憶される。以上のようにして、画像メモリ１０７に原稿データが記憶されると、画像表示領域３２０に新たに画像メモリ１０７に記憶された追加原稿データの原稿画像３２８、３２９が表示される。
【００６１】
次に、複合機１で行われるＦＡＸ送信処理について、図８から図１０を参照しつつ説明する。図８は、複合機１のＦＡＸ送信処理のルーチンを示すフローチャートである。図９は、図８のＢから続くフローチャートである。図１０は図９のＣから続くフローチャートである。
【００６２】
ＦＡＸ送信処理では、まず、複合機１の制御部１０１は、複合機１の操作部１０９のＦＡＸ処理選択キーが押下されたか否か判断する（ステップＳ４００）。ＦＡＸ処理選択キーが押下されたと判断すると（ステップＳ４００：ＹＥＳ）、制御部１０１は、操作部１０９及び表示部１１０を用いて、複合機１の利用者からＦＡＸ送信の各種条件の設定を受け付ける処理を行う（ステップＳ４０２）。具体的には、このＦＡＸ送信設定では、操作部１０９から、通信相手装置のＦＡＸ番号又は登録された短縮ダイヤルなどの通信相手装置を識別する情報の入力を受け付ける。そして、解像度、白黒又はカラーの別、原稿サイズ等のファクス送信する原稿データの種類の入力を受け付ける。そのほか、Ｆコードの指定などを行うこともできる。そして、ＦＡＸ送信設定が行われると、次に、制御部１０１は、原稿の読み取りを開始するスタートキーが押下されたか否か判断する（ステップＳ４０４）。
【００６３】
制御部１０１は、スタートキーが押下されたと判断すると（ステップＳ４０４：ＹＥＳ）、原稿読取処理を開始する（ステップＳ４０６）。この原稿読取処理では、まず、原稿読取部１０４を形成する図示しない自動原稿給送装置に載置された原稿を複合機１の内部に取り込んで、図示しないフラット・ベット・スキャナで読み取り、原稿データを生成する。そして、生成された原稿データを画像処理部１０５において、ステップＳ４０２において受け付けたＦＡＸ送信条件に基いて、色調整、色空間変換、２値化、サイズ変更、解像度変更等の処理を行う。さらに、画像処理部１０５において処理された原稿データをコーデック１０６において符号化する処理が行われる。一方、スタートキーが押下されていないと判断されると（ステップＳ４０４：ＮＯ）、ステップＳ４０２に戻って、ＦＡＸ送信条件の受付を継続する。なお、図８においては、自動原稿搬送装置によって原稿が読み取られているが、原稿載置台のプラテンガラスに原稿を１枚づつ載置して読み取るものであってもよい。
【００６４】
ステップＳ４０６において原稿読取処理が行われ、コーデック１０６により原稿データが符号化されると、制御部１０１は、符号化された原稿データを画像メモリ１０７に記憶させる（ステップＳ４０８）。そして、画像メモリ１０７に原稿データが記憶されると、制御部１０１は、画像メモリ１０７に記憶された原稿データが最終原稿であるか否か判断する（ステップＳ４１０）。制御部１０１が記憶された原稿データが最終原稿であると判断すると（ステップＳ４１０：ＹＥＳ）、原稿読取処理（ステップＳ４０６）及び原稿データ記憶処理（ステップＳ４０８）は完了しているので、そのまま、ステップＳ４１６に進む。一方、記憶された原稿が最終原稿でないと判断すると、原稿読取処理（ステップＳ４０６）及び原稿データ記憶処理（ステップＳ４０８）は完了していないので、ステップＳ４０６に戻って、原稿読取処理（ステップＳ４０６）及び原稿データ記憶処理（ステップＳ４０８）を継続する。
【００６５】
ステップＳ４００に戻って、制御部１０１が、ＦＡＸ処理選択キーが押下されていないと判断すると（ステップＳ４００：ＮＯ）、ＬＡＮ−Ｉ／Ｆ１１２がＦＡＸ送信用の原稿データを受信したか否か判断する（ステップＳ４１２）。すなわち、ＬＡＮ２０３上に構成されたパーソナルコンピュータ２０４が、ＦＡＸ送信用の原稿データを送信して、複合機１に送信し、複合機１がそのＦＡＸ送信用の原稿データを受け取っているか否か判断する。ＬＡＮ−Ｉ／Ｆ１１２がＦＡＸ送信用の原稿データを受信したと判断すると（ステップＳ４１２：ＹＥＳ）、受け取った原稿データを画像メモリ１０７に記憶する原稿データ記憶処理が行われ（ステップＳ４１４）、その後、ステップＳ４１６に進む。一方、ＬＡＮ−Ｉ／Ｆ１１２がＦＡＸ送信用の原稿データを受け取っていないと判断すると、そのままＦＡＸ送信処理のルーチンを終了する。
【００６６】
ステップＳ４１６に進むと、画像メモリ１０７に記憶されたＦＡＸ送信用の原稿データを表示部１１０に表示する処理が行われる。具体的には、制御部１０１は画像メモリ１０７に記憶された原稿データを読み出し、コーデック１０６で復号し、画像処理部１０５において、表示部１１０に表示できる形式に変換し、表示部１１０に原稿画像３２１から３２７として表示する。原稿画像が表示部１１０に表示されると（ステップＳ４１６）、図９のステップＳ４１８に進む。
【００６７】
ステップＳ４１８に進むと、図８のステップＳ４０２で受け付けた通信相手装置のＦＡＸ番号に対して、ＦＡＸ通信部１１１を介して発呼する処理を行う。具体的には、通信相手装置に対して、ＣＮＧ信号を、ＦＡＸ通信部１１１を構成する図示しないモデム及び図示しないＮＣＵを介して送信する。そして、発呼処理（ステップＳ４１８）を行うと、制御部１０１は、ＦＡＸ通信部１１１が通信確立情報及び受信能力情報を受信したか否か判断する（ステップＳ４２０）。具体的には、通信相手装置から送信されたＣＥＮ信号、ＣＳＩ信号、及びＤＩＳ信号を受信したか否か判断する。
【００６８】
通信確立情報を受信していないと判断すると（ステップＳ４２０：ＮＯ）、通信相手装置にＣＮＧ信号を送信してから所定時間が経過したか否か判断する（ステップＳ４２２）。所定時間が経過したと判断すると（ステップＳ４２２：ＹＥＳ）、通信エラーであるので、表示部１１０に通信エラーである旨表示し（ステップＳ４２４）、そのままＦＡＸ送信処理のルーチンを終了する。一方、通信相手装置にＣＮＧ信号を送信してから、所定時間が経過していないと判断すると（ステップＳ４２２：ＮＯ）、ステップＳ４２０に戻って、通信確立情報及び受信能力情報を受信したか否かの判断を繰り返す。
【００６９】
通信確立情報及び受信能力情報を受信したと判断すると（ステップＳ４２０：ＹＥＳ）、通信相手装置の受信能力は、図８に示すＦＡＸ送信条件受付の処理（ステップＳ４０２）で設定したＦＡＸ送信設定を満たすか否か判断する（ステップＳ４２６）。すなわち、通信相手装置から受信したＤＩＳ信号及び／又はＮＳＦ信号に含まれる情報に基いて、通信相手装置の受信できる原稿データの解像度、受信できる原稿幅、カラー原稿を受信できるか、等の受信能力情報を判断し、ＦＡＸ送信条件受付処理で受け付けた送信条件の原稿を通信相手装置が受け付けることができるか否か判断する。
【００７０】
通信相手装置の受信能力がＦＡＸ送信条件受付処理で受け付けた送信条件を満たさないと判断すると（ステップＳ４２６：ＹＥＳ）、このままの原稿データでは、通信相手装置が受信することができないので、通信相手装置の能力に合わせるように原稿データを改変する（ステップＳ４２８）。すなわち、画像メモリ１０７に記憶されている原稿データを読み出して、コーデック１０６で復号した後、画像処理部１０５において、通信相手装置の能力に合わせて、解像度、原稿サイズ、カラー原稿を白黒原稿に変換するなどの処理を行い、変更された画像データを、コーデックで符号化して、画像メモリ１０７に記憶する。具体的には、例えば、原稿データの解像度が４００ｄｐｉ×４００ｄｐｉのときに、通信相手装置の受信できる原稿データの解像度２００ｄｐｉ×１００ｄｐｉに原稿データの解像度を下げる変換、又は通信相手装置の受信できる原稿幅が２１０ミリメートル以下であるときに、Ａ３の原稿データをＡ４の原稿データに縮小する改変などを行う。そして、原稿データを改変すると（ステップＳ４２８）、次にステップＳ４３０に進む。一方、通信相手装置の受信能力がＦＡＸ送信条件受付処理で受け付けた送信条件を満たすと判断すると（ステップＳ４２６：ＮＯ）、そのままの原稿データで通信相手装置が受け取ることができるので、ステップＳ４２８をスキップして、ステップＳ４３０に進む。
【００７１】
ステップＳ４３０に進むと、ＦＡＸ送信する際に発信元情報を付加する設定となっているか否か判断する。すなわち複合機１のＲＡＭ１０３の所定領域に記憶されている自複合機１の設定情報が、ＦＡＸ送信の際に発信元情報を付加する設定となっているか否か判断する。発信元情報を付加する設定になっていると判断すると（ステップＳ４３０：ＹＥＳ）、発信元情報を付加する（ステップＳ４３２）。すなわち、画像メモリ１０７に記憶されている原稿データを読み出して、コーデックで復号化した後、画像処理部１０５において、原稿データに自複合機１の利用者の名称及びＦＡＸ番号を付加して、更に、コーデックで符号化して、画像メモリ１０７に記憶する。以上のように、発信元情報を付加すると（ステップＳ４３２）、次に、ステップＳ４３４に進んで、カバーページを生成する設定となっているか否か判断する。一方、ＦＡＸ送信する際に発信元情報を付加する設定となっていないと判断すると（ステップＳ４３０：ＮＯ）、原稿データにＦＡＸ発信元情報を付加せずに、ステップＳ４３２を行わずに、ステップＳ４３４に進む。
【００７２】
ステップＳ４３４では、ＦＡＸ送信する際にカバーページを自動作成する設定となっているか否か判断する。すなわち、ＲＡＭ１０３の所定領域に記憶されている自複合機１の設定情報が、ＦＡＸ送信の際にカバーページを自動的に生成する設定となっているか否か判断する。カバーページを自動作成する設定になっていると判断すると（ステップＳ４３４：ＹＥＳ）、カバーページの生成を行う（ステップＳ４３６）。具体的には、制御部１０１が、ＲＯＭ１０２に格納されているカバーページ生成プログラムに従って、通信が確立した通信相手装置のＦＡＸ番号から登録されている相手先名を読み出し、自複合機１の利用者の名称、自複合機１のＦＡＸ番号、及び予め設定されているあいさつ文を加えて、ＦＡＸ送信用のカバーページデータを生成する。そして、生成されたカバーページデータを、画像処理部１０５において、通信相手装置の受信能力に合わせて改変し、コーデック１０６において、符号化した後、画像メモリ１０７に記憶する。カバーページの生成を行うと、次に、ステップＳ４３８に進む。一方、カバーページを自動作成する設定になっていないと判断すると（ステップＳ４３４：ＮＯ）、ステップＳ４３６を行わずに、ステップＳ４３８に進む。
【００７３】
ステップＳ４３８に進むと、原稿画像表示の変更が行われる。すなわち、表示部１１０に表示されている原稿画像の表示を、画像メモリ１０７に記憶されている原稿データに改める処理を行う。すなわちステップＳ４２８、ステップＳ４３２、ステップＳ４３６の各処理によって、変換等された原稿データに表示部１１０に表示される原稿画像を改める処理を行う。具体的には、画像メモリ１０７に記憶されている原稿データを読み出して、コーデック１０６で復号し、画像処理部１０５において表示部１１０に表示できる形式のデータに変換した後、表示部１１０の画像表示領域３２０に表示する。原稿画像表示の変更が行われると（ステップＳ４３８）、図１０のステップＳ４４０に進む。
【００７４】
ステップＳ４４０に進むと、送信すべき原稿データの選択があったか否か判断する。すなわち、表示部１１０の画像表示領域３２０に表示された送信原稿の原稿画像３２１から３２７の選択、及び操作表示領域に表示された送信指示ボタン３３２の選択が受け付けられたか否か判断する。送信すべき原稿データの選択が無かったと判断すると（ステップＳ４４０：ＮＯ）、通信開始から所定時間が経過したか否か判断する（ステップＳ４４２）。通信開始から所定時間が経過していると判断すると（ステップＳ４４２：ＹＥＳ）、表示部１１０に通信がタイムアウトした旨の表示を行い（ステップＳ４４４）、その後、通信を切断して（ステップＳ４８０）、ＦＡＸ送信処理のルーチンを終了する。一方、ステップＳ４４２において、通信開始から所定時間が経過していないと判断すると（ステップＳ４４２：ＮＯ）、ステップＳ４４０に戻って送信すべき原稿データが選択されるまで待機する。
【００７５】
ステップＳ４４０に戻って、送信すべき原稿データの選択があると判断すると（ステップＳ４４０：ＹＥＳ）、選択がされた原稿データの中に、未だ送信していない原稿データがあるか否か判断する（ステップＳ４４６）。未だ送信していない原稿データがあると判断すると（ステップＳ４４６：ＹＥＳ）、新たな送信すべき原稿データの選択があるか否か判断する（ステップＳ４４８）。すなわち、表示部１１０の画像表示領域３２０に表示され、未だ選択されていなかった送信すべき原稿データの原稿画像３２１から３２７の選択、及び操作表示領域３３０に表示された送信指示ボタン３３２の選択が、操作部１０９により新たに受け付けられたか否か判断する。新たな送信すべき原稿データの選択があると判断すると（ステップＳ４４８：ＹＥＳ）、選択された原稿データに送信するページ情報を付加する処理を行うとともに、表示部１１０の画像表示領域に表示される原稿画像３２１から３２７のうち選択された原稿画像にページ情報３２ｂを付加する処理を行い（ステップＳ４５０）、ステップＳ４５２に進む。一方、ステップＳ４４８に戻って、新たな送信すべき原稿データの選択がないと判断すると（ステップＳ４４８：ＮＯ）、ステップＳ４５０を行わずに、ステップＳ４５２に進む。
【００７６】
ステップＳ４５２に進むと、次に、ＦＡＸ通信部１１１で現在送信中の原稿データがあるか否か判断する（ステップＳ４５２）。現在送信中の原稿データがないと判断すると（ステップＳ４５４：ＹＥＳ）、送信順位が最も若い原稿データに送信開始時刻情報を付加し（ステップＳ４５４）、その原稿データをＦＡＸ通信部１１１により送信する（ステップＳ４５６）。そして原稿データを送信すると（ステップＳ４５６）、ステップＳ４５８に進む。一方、ステップＳ４４６に戻って、未だ送信していない原稿データがないと判断すると（ステップＳ４４６：ＮＯ）、ステップＳ４５６を行わずに、ステップＳ４５８に進む。
【００７７】
ステップＳ４５８に進むと、次に、原稿画像の拡大の選択があったか否か判断する。すなわち、表示部１１０の画像表示領域３２０に表示された原稿画像３２１から３２７の選択、及び操作表示領域３３０に表示された拡大指示ボタン３３３の選択が、受け付けられたか否か判断する。原稿画像の拡大の選択があったと判断すると（ステップＳ４５８：ＹＥＳ）、表示部１１０の画像表示領域３２０に表示された原稿画像３２１から３２７のうち選択された原稿画像の表示を原稿データの原寸大まで拡大して表示する（ステップＳ４６０）。原稿画像の表示の拡大を行うと（ステップＳ４６０）、次に、ステップＳ４６２に進む。一方、原稿データの表示の拡大が行われていないと判断すると（ステップＳ４５８：ＮＯ）、ステップＳ４６０を行わずに、ステップＳ４６２に進む。
【００７８】
ステップＳ４６２に進むと、原稿データの修正が選択されたか否か判断する。すなわち、表示部１１０の画像表示領域３２０に表示された送信原稿の原稿画像３２１から３２７の選択、及び操作表示領域３３０に表示された修正指示ボタン３３４の選択、及び操作表示領域３３０に表示されたサイズ修正ボタン３３６、解像度修正ボタン３３７、回転ボタン３３８、濃度修正ボタン３３９、白黒／カラー変更ボタン３４０等の修正内容の選択がなされたか否か判断する。原稿データの修正が選択されたと判断すると（ステップＳ４６２：ＹＥＳ）、原稿データを修正する処理をおこなう（ステップＳ４６４）。すなわち、サイズ修正ボタン３３６、解像度修正ボタン３３７、回転ボタン３３８、濃度修正ボタン３３９、白黒／カラー変更ボタン３４０等の中から選択された内容に修正する処理を、選択された原稿画像の原稿データに対して行う。具体的には、サイズ修正ボタン３３６が選択されると、原稿データの原稿サイズをＡ３、Ｂ４、Ａ４、Ｂ５、葉書サイズの順に修正する処理を行い、解像度修正ボタン３３７が選択されると、原稿データの解像度が標準（２００ｄｐｉ×１００ｄｐｉ）、高画質（２００ｄｐｉ×２００ｄｐｉ）、超高画質（４００ｄｐｉ×４００ｄｐｉ）の順に修正する処理が行われ、回転ボタン３３８が選択されると、原稿データが９０度づつ回転する処理が行われ、濃度修正ボタン３３９が選択されると、原稿データの濃度を、例えば１０段階で修正する処理が行われ、白黒／カラー変更ボタン３４０が選択されると、カラー原稿を白黒原稿に変更する処理が行われる。そして、修正した原稿データを画像メモリ１０７に記憶するとともに、表示部１１０の画像表示領域に表示される原稿画像３２１から３２７を修正された原稿データに基いて修正する。原稿データを修正する処理を行うと（ステップＳ４６４）次に、ステップＳ４６６に進む。一方、ステップＳ４６２において、原稿データの修正が選択されなかったと判断されると（ステップＳ４６２：ＮＯ）、ステップＳ４６４を行わずに、ステップＳ４６６に進む。
【００７９】
ステップＳ４６６に進むと、原稿データの削除が選択されたか否を判断する。すなわち、表示部１１０の画像表示領域３２０に表示された送信原稿の原稿画像３２１から３２７の選択、及び操作表示領域３３０に表示された削除指示ボタン３３５の選択がなされたか否か判断される。原稿データの削除が選択されたと判断すると（ステップＳ４６６：ＹＥＳ）、原稿データを削除する処理を行う（ステップＳ４６８）。すなわち、画像メモリ１０７に記憶されている選択された原稿データを削除するとともに、表示部１１０の画像表示領域３２０に表示されている原稿画像３２１から３２７の中から選択された原稿画像を削除する処理を行う。原稿データの削除が行われると、次に、ステップＳ４７０に進む。一方、原稿データの削除が選択されていないと判断すると（ステップＳ４６６：ＮＯ）、ステップＳ４６８を行わずに、ステップＳ４７０に進む。
【００８０】
ステップＳ４７０に進むと、次に、追加原稿データの入力があったか否か判断する。すなわち、原稿読取部１０４において、新たに原稿を読み取り、原稿データを生成したか、又は、ＬＡＮＩ／Ｆ１１２において、ＬＡＮ２０３のパーソナルコンピュータ２０４から新たな原稿データの入力を受け付けたか否か判断する。追加原稿データの入力があったと判断すると（ステップＳ４７０：ＹＥＳ）、新たに追加した原稿データを記憶する処理を行う（ステップＳ４７２）。具体的には、原稿読取部１０４において新たに原稿データを生成し、画像処理部１０５において、図８のステップＳ４０２において設定したＦＡＸ設定条件、及び図９のステップＳ４２０で受信した通信相手装置の受信能力に基いて決定される送信条件に応じて、色調整、色空間変換、２値化、サイズ変換、解像度変換等の処理を行う。さらに、画像処理部１０５において処理された原稿データをコーデック１０６において符号化する処理を行い、画像メモリ１０７に記憶する。原稿データの記憶処理が行われると（ステップＳ４７２）、記憶された原稿データに基いて、追加された原稿データの原稿画像を表示部１１０の画像表示領域３２０に表示する処理を行う（ステップＳ４７４）。追加された原稿データの原稿画像を表示する処理が行われると（ステップＳ４７４）、次に、ステップＳ４７６に進む。一方、ステップＳ４７０において、原稿データの追加が無かったと判断すると（ステップＳ４７０：ＮＯ）、ステップＳ４７２及びステップＳ４７４を行わずに、ステップＳ４７６に進む。
【００８１】
ステップＳ４７６に進むと、最終原稿が送信されたか否か判断する。すなわち、送信する選択がなされた原稿データが全て通信相手装置に送信されたか否か判断する。最終原稿が送信されたと判断すると（ステップＳ４７６：ＹＥＳ）、ＦＡＸ送信済みである旨の表示がなされ（ステップＳ４７８）、通信が切断された後（ステップＳ４８０）、ＦＡＸ送信処理のルーチンを終了する。
【００８２】
以上のように、本実施形態に係る複合機１を用いると、通信相手装置から通信確立情報として、ＣＥＮ信号等の通信確立情報、及びＤＩＳ信号、ＣＳＩ信号、ＮＳＦ信号等の通信相手装置の受信能力情報を受信した後で、通信相手装置に送信する画像データの原稿画像の選択を受けるけるので、通信が確立した後に複合機１の利用者が原稿データを選択することとなり、複合機１の利用者は原稿データを通信相手装置に確実に送信していることを認識することができる。特に、発呼よりも前に原稿読取部１０５により原稿を読み取り、又は、ＬＡＮ−Ｉ／Ｆ１１２により原稿データを受け付けるので、所謂リアルタイム送信の場合のように、原稿データの通信途中で送信すべき原稿の読み取り又は受け付けにエラーが発生して、不完全な原稿データが通信相手先装置に送信されてしまうことと防ぐことができる。
【００８３】
また、通信相手装置から通信確立情報として受け取ったＤＩＳ信号、ＣＳＩ信号、ＮＳＦ信号等の通信相手装置の受信能力情報に基いて、送信する画像データの解像度、原稿サイズ、白黒原稿又はカラー原稿の別、等を変換し、また、送信元情報及び原稿ページ情報などを付加して、送信する原稿データと同様の条件の原稿データに基いて、原稿画像を表示部１１０に表示するので、複合機１の利用者はより送信する原稿データに近い原稿画像を参照しながら、送信すべき原稿データを選択できる。さらに、このような送信条件に近い原稿データの原稿画像を参照しつつ、原稿サイズの修正、解像度の修正、原稿データの回転、原稿濃度の修正、カラー原稿から白黒原稿に変更などの操作を行うことができる。さらにまた、上述のような送信条件に近い原稿データの原稿画像を参照しつつ、原稿データの削除又は追加をすることができる。また、複合機１の内部で自動的に生成するＦＡＸ送信のカバーページについても、実際に送信する解像度、原稿サイズ、白黒原稿又はカラー原稿の別に合わせて生成し、これを表示するので、実際に送信するものに近いカバーページデータを参照しながらカバーページに不備がないか確認することができる。
【００８４】
このように通信相手装置に実際に送信する送信条件に近い原稿データの原稿画像を確認しつつ、送信原稿の選択、変更、追加、削除、及びカバーページの確認などを行うので、送信先で、例えば原稿データの画像が潰れて文字が読めないこと又は画像濃度が薄くて見えないといったことを効果的に防ぐことができる。また、これらの処理は送信前のみならず送信中も行うことができる。
【００８５】
なお、本発明の実施の形態は上述の形態に限ることなく、本発明の思想の範囲を逸脱しない範囲で適宜変更することができる。
【００８６】
なお、本発明における「原稿データ受付手段」は、本実施形態においては、原稿読取部１０４及びＬＡＮ−Ｉ／Ｆ１１２がこれに相当する。すなわち、原稿データを生成する又は外部から受け付けることができる装置であればよい。また、本発明における「記憶手段」は、本実施形態においては、画像メモリ１０７がこれに相当するが、例えば、ＨＤＤ（Hard Disk Drive）、フラッシュメモリ（flash memory）、ＲＡＭ（Random Access Memory）等の情報の書き換え可能な情報記憶媒体であればよい。さらに、本発明における「表示手段」は、本実施形態においては、大型のＬＣＤである表示部１１０がこれに相当するが、ＬＣＤに限られるものではなく、例えば、ＬＥＤマトリックス表示装置、又は電子ペーパー等の原稿画像情報を表示できる装置であればよい。また、本発明における「操作手段」として、本実施形態においては、操作部１０９及び表示部１１０のタッチパネルがこれに相当する。また、本発明における「原稿データ変換手段」、「送信元情報付加手段」、「カバーページ生成手段」、「送信時刻付加手段」はＲＯＭ１０２に備わる原稿データ変換プログラム、送信元情報付加プログラム、カバーページ生成プログラム、送信情報付加プログラムなどの各プログラム及び、そのプログラムにしたがって、原稿データを変換する画像処理部１０５がこれに相当する。なお、ソフトウエアのプログラムがこれらを実現する構成のほか、専用の回路がこれを実現する構成であってもよい。
【産業上の利用可能性】
【００８７】
本発明は、例えば、スキャン機能、印刷機能、複写機能、ファクシミリ通信機能、電子メール通信機能等を備えており、ファクシミリのメモリ送信機能を有する複合機１に好適に適用することができる。
【図面の簡単な説明】
【００８８】
【図１】本発明に係る画像処理装置の一例としての複合機１の構成例を示すブロック図。
【図２】原稿データを受け付けて、通信相手装置に発呼したときの表示部１１０の画面を示す図。
【図３】通信相手装置と通信が確立したときの表示部１１０の画面を示す図。
【図４】通信相手装置に原稿データを送信中のときの表示部１１０の画面を示す図。
【図５】画像表示領域３２０に表示される原稿画像を拡大したときの表示部１１０の画面を示す図。
【図６】原稿データを変更するときの表示部１１０の画面を示す図。
【図７】原稿データを削除及び追加するときの表示部１１０の画面を示す図。
【図８】ＦＡＸ送信処理のルーチンを示すフローチャート。
【図９】図８のＢから続くフローチャート。
【図１０】図９のＣから続くフローチャート。
【符号の説明】
【００８９】
１      複合機（画像処理装置）
３２ａ  送信元情報
３２ｂ  ページ情報
３２ｃ  送信開始時刻情報
１０１  制御部（ＣＰＵ）
１０２  ＲＯＭ
１０３  ＲＡＭ
１０４  原稿読取部
１０５  画像処理部
１０６  コーデック
１０７  画像メモリ
１０９  操作部
１１０  表示部
１１１  ＦＡＸ通信部
１１２  ＬＡＮ−Ｉ／Ｆ
２０２  ファクシミリ装置（通信相手装置）
３２１〜３２９  原稿画像
【図１】
2008294879.tif 000003
【図２】
2008294879.tif 000004
【図３】
2008294879.tif 000005
【図４】
2008294879.tif 000006
【図５】
2008294879.tif 000007
【図６】
2008294879.tif 000008
【図７】
2008294879.tif 000009
【図８】
2008294879.tif 000010
【図９】
2008294879.tif 000011
【図１０】
2008294879.tif 000012